(57)【要約】【課題】  ＷＥＢＥＤＩに参加している企業を対象に取引実績による信頼性を確認できる企業情報共有方式，方法およびプログラムを提供する。【解決手段】  Ａ端末２は、お知らせ登録画面にお知らせの表題名とお知らせ内容の入力を行い、お知らせを通知する受注企業の選択を行い、お知らせ登録画面を企業情報共有サイト１１に送信する。企業情報共有サイト１１は、Ａ端末２が登録したお知らせをＡ端末２が選択した受注企業端末が参照可能な状態とし、Ａ端末２が選択した受注企業端末に新たにお知らせが登録された旨を通知する。受注企業端末（ＡＸ端末５等）は、登録されているお知らせに対して回答入力を行う。Ａ端末２は、企業情報共有サイト１１にアクセスし、お知らせ回答参照画面にて各受注企業からの回答状況を確認し、各受注企業への連絡を個別に行い個別折衝する。【選択図】      図１
2005085224.tif 000002
【特許請求の範囲】
【請求項１】
企業間電子商取引を行うＷＥＢＥＤＩ機能と、前記ＷＥＢＥＤＩ機能を使用する企業端末の中から登録した企業端末が参加し情報交換を司る企業情報共有サイトと、を有するＡＳＰ提供者サーバと、
受注企業に発注を行う発注企業の端末で前記企業情報共有サイトに登録する発注企業端末と、
発注企業から受注を受ける受注企業の端末で前記企業情報共有サイトに登録する受注企業端末と、
前記ＡＳＰ提供者サーバと前記発注企業端末と前記受注企業端末とを接続するネットワークと、
を備える企業情報共有方式。
【請求項２】
前記企業情報共有サイトは、
お知らせ登録画面を前記発注企業端末に送信するお知らせ登録画面送信手段と、
前記発注企業端末から受信したお知らせを登録するお知らせ登録手段と、
前記受注企業端末から受信したお知らせに対する回答を登録するお知らせ回答登録手段と、を含み、
前記発注企業端末は、
前記お知らせ登録画面に入力してお知らせを前記企業情報共有サイトに送信するお知らせ入力手段と、
前記企業情報共有サイトに登録された前記受注企業端末からのお知らせに対する回答を参照するお知らせ回答参照手段と、を含み、
前記受注企業端末は、
前記企業情報共有サイトに登録された前記発注企業端末からのお知らせを参照するお知らせ参照手段と、
前記お知らせに対する回答を入力して前記企業情報共有サイトに送信するするお知らせ回答入力手段と、を含む、
ことを特徴とする請求項１記載の企業情報共有方式。
【請求項３】
前記企業情報共有サイトは、
前記発注企業端末に対して全ての受注企業の存在が見えるように制御する手段と、
前記受注企業端末に対して全ての発注企業の存在が見え且つ他の受注企業の存在を隠蔽するように制御する手段と、を含む、
ことを特徴とする請求項１または請求項２記載の企業情報共有方式。
【請求項４】
前記お知らせ登録画面は、
受注企業の一覧および前記受注企業と取引がある発注企業情報を含んで成り、
前記お知らせ入力手段は、
前記受注企業の一覧の中から前記お知らせを送付する受注企業を選択して指定する手段を有する、
ことを特徴とする請求項２記載の企業情報共有方式。
【請求項５】
前記企業情報共有サイトは、
前記受注企業端末から受注企業のコマーシャルページを受信して登録する手段と、
前記発注企業端末に前記受注企業のコマーシャルページを表示する手段と、を含む、
ことを特徴とする請求項２記載の企業情報共有方式。
【請求項６】
前記企業情報共有サイトは、
前記コマーシャルページを登録した受注企業に対して課金を行う手段を含む、
ことを特徴とする請求項５記載の企業情報共有方式。
【請求項７】
ＡＳＰ提供者サーバは、
ＷＥＢＥＤＩ機能を使用して発注企業端末と受注企業端末との間で企業間電子商取引を行い、
ＡＳＰ提供者サーバは、
企業情報共有サイトを開設し、
前記発注企業端末は、
前記企業情報共有サイトに登録し、
前記受注企業端末は、
前記企業情報共有サイトに登録し、
前記企業情報共有サイトは、
前記発注企業端末と前記受注企業端末との間で情報交換を司る、
ことを特徴とする企業情報共有方法。
【請求項８】
前記企業情報共有サイトは、
お知らせ登録画面を前記発注企業端末に送信し、
前記発注企業端末は、
前記お知らせ登録画面に入力してお知らせを前記企業情報共有サイトに送信し、
前記企業情報共有サイトは、
前記発注企業端末から受信したお知らせを登録し、
前記受注企業端末は、
前記企業情報共有サイトに登録された前記発注企業端末からのお知らせを参照し、
前記お知らせに対する回答を入力して前記企業情報共有サイトに送信し、
前記企業情報共有サイトは、
前記受注企業端末から受信したお知らせに対する回答を登録し、
前記発注企業端末は、
前記企業情報共有サイトに登録された前記受注企業端末からのお知らせに対する回答を参照する、
ことを特徴とする請求項７記載の企業情報共有方法。
【請求項９】
前記企業情報共有サイトは、
前記発注企業端末に対して全ての受注企業の存在が見えるように制御し、
前記受注企業端末に対して全ての発注企業の存在が見え且つ他の受注企業の存在を隠蔽するように制御する、
ことを特徴とする請求項７または請求項８記載の企業情報共有方法。
【請求項１０】
前記発注企業端末は、
前記お知らせ登録画面に表示される受注企業の一覧の中から前記お知らせを送付する受注企業を選択して指定する、
ことを特徴とする請求項８記載の企業情報共有方法。
【請求項１１】
前記企業情報共有サイトは、
前記受注企業端末から受注企業のコマーシャルページを受信して登録し、
前記発注企業端末に前記受注企業のコマーシャルページを表示する、
ことを特徴とする請求項８記載の企業情報共有方法。
【請求項１２】
前記企業情報共有サイトは、
前記コマーシャルページを登録した受注企業に対して課金を行う、
ことを特徴とする請求項１１記載の企業情報共有方法。
【請求項１３】
コンピュータに、
ＡＳＰ提供者サーバが、
ＷＥＢＥＤＩ機能を使用して発注企業端末と受注企業端末との間で企業間電子商取引を行う機能、
ＡＳＰ提供者サーバが、
企業情報共有サイトを開設する機能、
前記発注企業端末が、
前記企業情報共有サイトに登録する機能、
前記受注企業端末が、
前記企業情報共有サイトに登録する機能、
前記企業情報共有サイトが、
前記発注企業端末と前記受注企業端末との間で情報交換を司る機能、
を実現させるための企業情報共有プログラム。
【請求項１４】
前記企業情報共有サイトが、
お知らせ登録画面を前記発注企業端末に送信する機能、
前記発注企業端末が、
前記お知らせ登録画面に入力してお知らせを前記企業情報共有サイトに送信する機能、
前記企業情報共有サイトが、
前記発注企業端末から受信したお知らせを登録する機能、
前記受注企業端末が、
前記企業情報共有サイトに登録された前記発注企業端末からのお知らせを参照する機能、
前記お知らせに対する回答を入力して前記企業情報共有サイトに送信する機能、
前記企業情報共有サイトが、
前記受注企業端末から受信したお知らせに対する回答を登録する機能、
前記発注企業端末が、
前記企業情報共有サイトに登録された前記受注企業端末からのお知らせに対する回答を参照する機能、
を実現させるための請求項１３記載の企業情報共有プログラム。
【請求項１５】
前記企業情報共有サイトが、
前記発注企業端末に対して全ての受注企業の存在が見えるように制御する機能、
前記受注企業端末に対して全ての発注企業の存在が見え且つ他の受注企業の存在を隠蔽するように制御する機能、
を実現させるための請求項１３または請求項１４記載の企業情報共有プログラム。
【請求項１６】
前記発注企業端末が、
前記お知らせ登録画面に表示される受注企業の一覧の中から前記お知らせを送付する受注企業を選択して指定する機能、
を実現させるための請求項１４記載の企業情報共有プログラム。
【請求項１７】
前記企業情報共有サイトが、
前記受注企業端末から受注企業のコマーシャルページを受信して登録する機能、
前記発注企業端末に前記受注企業のコマーシャルページを表示する機能、
を実現させるための請求項１４記載の企業情報共有プログラム。
【請求項１８】
前記企業情報共有サイトが、
前記コマーシャルページを登録した受注企業に対して課金を行う機能、
を実現させるための請求項１７記載の企業情報共有プログラム。
【発明の詳細な説明】
【技術分野】
【０００１】
本発明は、企業情報共有方式，方法およびプログラムに関し、特に、ＷＥＢＥＤＩ(WEB-Electronic Data Interchange)に参加している企業を対象にする企業情報共有方式，方法およびプログラムに関する。
【背景技術】
【０００２】
従来、オープンに発注企業と受注企業が参加し、買いたい案件や売りたい案件を各参加企業が登録し、それを各参加企業が探索する取引先探索サイトが存在する。案件を確認することで、新規の取引先を拡大しようというサイトである。
【０００３】
従来の商取引システムの一例として、特許文献１には、発注希望者端末から発注内容を仲介業者サーバに送信し、仲介業者サーバは発注内容を受信してメーリングリストに登録されている各受注希望者端末に送信し、受注希望者は発注希望者と交渉し、交渉がまとまった場合に発注希望者端末は仲介業者サーバに取引完了のメールを送信し、仲介業者サーバは発注内容を提供した各受注希望者端末に取引完了の通知をメールで送信するネットワークによる商取引方法が公開されている。
【０００４】
また、特許文献２には、サーバは受発注企業から入力された個別情報に基づきネットワークとの接続可否を判断し、サーバに送信される見積依頼案件を受信して受注企業端末に送信し、見積依頼案件に対する受注企業の見積回答を受信し、見積回答を発注企業端末に送信する特定企業間資材調達システムが公開されている。
【０００５】
【特許文献１】特開２００２−３３４２３８号公報
【特許文献２】特開２００３−３０４６６号公報
【発明の開示】
【発明が解決しようとする課題】
【０００６】
しかしながら、上述した背景技術には、以下のような課題がある。
【０００７】
すなわち、マーケットプレイスと呼ばれる従来の取引先探索サイトでは、どんな企業でも参加でき、案件のカテゴリも絞れなくなるため、参加企業の信頼性の確認の手間がかかり、参加企業の多岐にわたる案件を処理できず、発注企業、受注企業ともに担当者の探索工数が掛かりすぎることである。
【０００８】
発注企業としては、取引実績のある受注企業への案件募集を行いながら、新規取引先も拡大したい。また、製造業では、取引先の与信や取引開始に伴う手続きに時間を要し、案件ごとの有効性検討では直ぐに取引を行えない商慣習がある。
【０００９】
受注企業にとっては、競合他社がサイト上に参加している場合、営業上の提案案件を他社に知られてしまうこともあり、優れた提案案件が出てこないとの不満もあった。手間が掛からず有効な取引先を拡大することを、その後の電子商取引（ＷＥＢＥＤＩ）を前提に検討する必要があった。
【００１０】
ＡＳＰサービス提供者としては、取引実績で課金する方式が一般的であり、取引が活性化しないため、ビジネスが成立しない課題もあった。
【００１１】
本発明の目的は、参加発注企業との取引実績から受注企業の信頼性を確認する企業情報共有方式，方法およびプログラムを提供することにある。
【００１２】
本発明の他の目的は、受注企業同士は参加企業および発注企業とのやり取りが見えない企業情報共有方式，方法およびプログラムを提供することにある。
【００１３】
更に、本発明の他の目的は、受注企業から登録されるコマーシャルサイトで収入を得る企業情報共有方式，方法およびプログラムを提供することにある。
【課題を解決するための手段】
【００１４】
本願第１の発明の企業情報共有方式は、企業間電子商取引を行うＷＥＢＥＤＩ機能と、前記ＷＥＢＥＤＩ機能を使用する企業端末の中から登録した企業端末が参加し情報交換を司る企業情報共有サイトと、を有するＡＳＰ提供者サーバと、受注企業に発注を行う発注企業の端末で前記企業情報共有サイトに登録する発注企業端末と、発注企業から受注を受ける受注企業の端末で前記企業情報共有サイトに登録する受注企業端末と、前記ＡＳＰ提供者サーバと前記発注企業端末と前記受注企業端末とを接続するネットワークと、を備える。
【００１５】
本願第２の発明の企業情報共有方式は、第１の発明において前記企業情報共有サイトは、お知らせ登録画面を前記発注企業端末に送信するお知らせ登録画面送信手段と、前記発注企業端末から受信したお知らせを登録するお知らせ登録手段と、前記受注企業端末から受信したお知らせに対する回答を登録するお知らせ回答登録手段と、を含み、前記発注企業端末は、前記お知らせ登録画面に入力してお知らせを前記企業情報共有サイトに送信するお知らせ入力手段と、前記企業情報共有サイトに登録された前記受注企業端末からのお知らせに対する回答を参照するお知らせ回答参照手段と、を含み、前記受注企業端末は、前記企業情報共有サイトに登録された前記発注企業端末からのお知らせを参照するお知らせ参照手段と、前記お知らせに対する回答を入力して前記企業情報共有サイトに送信するするお知らせ回答入力手段と、を含む、ことを特徴とする。
【００１６】
本願第３の発明の企業情報共有方式は、第１または第２の発明において前記企業情報共有サイトは、前記発注企業端末に対して全ての受注企業の存在が見えるように制御する手段と、前記受注企業端末に対して全ての発注企業の存在が見え且つ他の受注企業の存在を隠蔽するように制御する手段と、を含む、ことを特徴とする。
【００１７】
本願第４の発明の企業情報共有方式は、第２の発明において前記お知らせ登録画面は、受注企業の一覧および前記受注企業と取引がある発注企業情報を含んで成り、前記お知らせ入力手段は、前記受注企業の一覧の中から前記お知らせを送付する受注企業を選択して指定する手段を有する、ことを特徴とする。
【００１８】
本願第５の発明の企業情報共有方式は、第２の発明において前記企業情報共有サイトは、前記受注企業端末から受注企業のコマーシャルページを受信して登録する手段と、前記発注企業端末に前記受注企業のコマーシャルページを表示する手段と、を含む、ことを特徴とする。
【００１９】
本願第６の発明の企業情報共有方式は、第５の発明において前記企業情報共有サイトは、前記コマーシャルページを登録した受注企業に対して課金を行う手段を含む、ことを特徴とする。
【００２０】
本願第７の発明の企業情報共有方法は、ＡＳＰ提供者サーバは、ＷＥＢＥＤＩ機能を使用して発注企業端末と受注企業端末との間で企業間電子商取引を行い、ＡＳＰ提供者サーバは、企業情報共有サイトを開設し、前記発注企業端末は、前記企業情報共有サイトに登録し、前記受注企業端末は、前記企業情報共有サイトに登録し、前記企業情報共有サイトは、前記発注企業端末と前記受注企業端末との間で情報交換を司る、ことを特徴とする。
【００２１】
本願第８の発明の企業情報共有方法は、第７の発明において前記企業情報共有サイトは、お知らせ登録画面を前記発注企業端末に送信し、前記発注企業端末は、前記お知らせ登録画面に入力してお知らせを前記企業情報共有サイトに送信し、前記企業情報共有サイトは、前記発注企業端末から受信したお知らせを登録し、前記受注企業端末は、前記企業情報共有サイトに登録された前記発注企業端末からのお知らせを参照し、前記お知らせに対する回答を入力して前記企業情報共有サイトに送信し、前記企業情報共有サイトは、前記受注企業端末から受信したお知らせに対する回答を登録し、前記発注企業端末は、前記企業情報共有サイトに登録された前記受注企業端末からのお知らせに対する回答を参照する、ことを特徴とする。
【００２２】
本願第９の発明の企業情報共有方法は、第７または第８の発明において前記企業情報共有サイトは、前記発注企業端末に対して全ての受注企業の存在が見えるように制御し、前記受注企業端末に対して全ての発注企業の存在が見え且つ他の受注企業の存在を隠蔽するように制御する、ことを特徴とする。
【００２３】
本願第１０の発明の企業情報共有方法は、第８の発明において前記発注企業端末は、前記お知らせ登録画面に表示される受注企業の一覧の中から前記お知らせを送付する受注企業を選択して指定する、ことを特徴とする。
【００２４】
本願第１１の発明の企業情報共有方法は、第８の発明において前記企業情報共有サイトは、前記受注企業端末から受注企業のコマーシャルページを受信して登録し、前記発注企業端末に前記受注企業のコマーシャルページを表示する、ことを特徴とする。
【００２５】
本願第１２の発明の企業情報共有方法は、第１１の発明において前記企業情報共有サイトは、前記コマーシャルページを登録した受注企業に対して課金を行う、ことを特徴とする。
【００２６】
本願第１３の発明の企業情報共有プログラムは、コンピュータに、ＡＳＰ提供者サーバが、ＷＥＢＥＤＩ機能を使用して発注企業端末と受注企業端末との間で企業間電子商取引を行う機能、ＡＳＰ提供者サーバが、企業情報共有サイトを開設する機能、前記発注企業端末が、前記企業情報共有サイトに登録する機能、前記受注企業端末が、前記企業情報共有サイトに登録する機能、前記企業情報共有サイトが、前記発注企業端末と前記受注企業端末との間で情報交換を司る機能、を実現させる。
【００２７】
本願第１４の発明の企業情報共有プログラムは、第１３の発明において前記企業情報共有サイトが、お知らせ登録画面を前記発注企業端末に送信する機能、前記発注企業端末が、前記お知らせ登録画面に入力してお知らせを前記企業情報共有サイトに送信する機能、前記企業情報共有サイトが、前記発注企業端末から受信したお知らせを登録する機能、前記受注企業端末が、前記企業情報共有サイトに登録された前記発注企業端末からのお知らせを参照する機能、前記お知らせに対する回答を入力して前記企業情報共有サイトに送信する機能、前記企業情報共有サイトが、前記受注企業端末から受信したお知らせに対する回答を登録する機能、前記発注企業端末が、前記企業情報共有サイトに登録された前記受注企業端末からのお知らせに対する回答を参照する機能、を実現させる。
【００２８】
本願第１５の発明の企業情報共有プログラムは、第１３または第１４の発明において前記企業情報共有サイトが、前記発注企業端末に対して全ての受注企業の存在が見えるように制御する機能、前記受注企業端末に対して全ての発注企業の存在が見え且つ他の受注企業の存在を隠蔽するように制御する機能、を実現させる。
【００２９】
本願第１６の発明の企業情報共有プログラムは、第１４の発明において前記発注企業端末が、前記お知らせ登録画面に表示される受注企業の一覧の中から前記お知らせを送付する受注企業を選択して指定する機能、を実現させる。
【００３０】
本願第１７の発明の企業情報共有プログラムは、第１４の発明において前記企業情報共有サイトが、前記受注企業端末から受注企業のコマーシャルページを受信して登録する機能、前記発注企業端末に前記受注企業のコマーシャルページを表示する機能、を実現させる。
【００３１】
本願第１８の発明の企業情報共有プログラムは、第１７の発明において前記企業情報共有サイトが、前記コマーシャルページを登録した受注企業に対して課金を行う機能、を実現させる。
【発明の効果】
【００３２】
第１の効果は、発注企業は膨大な提案案件から選択する手間がいらないことである。また、受注企業の信頼性が見極めやすいことである。
【００３３】
その理由は、発注企業が受注企業に必要な案件を提示するようにしたからである。また、新規受注企業について参加発注企業との取引実績を参照できるようにしたからである。
【００３４】
第２の効果は、受注企業は発注企業の案件募集に対して先進的な提案回答が可能となることである。
【００３５】
その理由は、受注企業同士は参加企業および発注企業とのやり取りが見えないようにしたからである。
【００３６】
第３の効果は、ＡＳＰサービス提供者はＷＥＢＥＤＩ収入とあわせて受注企業から収入を得ることができることである。
【００３７】
その理由は、受注企業から登録されるコマーシャルページに課金するようにしたからである。
【発明を実施するための最良の形態】
【００３８】
次に、本発明を実施するための最良の形態について、図面を参照して詳細に説明する。
図１は、本発明の構成を示す図である。
【００３９】
図１を参照すると、本発明の企業情報共有方式は、ＡＳＰ提供者サーバ１と、発注企業Ａ社、Ｂ社、Ｃ社のＡ端末２、Ｂ端末３、Ｃ端末４（これらの端末を発注企業端末と総称する）と、受注企業ＡＸ社、ＡＹ社、ＢＸ社、ＣＸ社のＡＸ端末５、ＡＹ端末６、ＢＸ端末７、ＣＸ端末８（これらの端末を受注企業端末と総称する）と、これらを接続するネットワーク９と、を備えている。
【００４０】
ＡＳＰ提供者サーバ１は、ＡＳＰ（アプリケーション・サービス・プロバイダ）提供者の提供するサーバで、プログラム制御で動作する情報処理装置である。ＡＳＰ提供者サーバ１は、ＷＥＢＥＤＩ(WEB-Electronic Data Interchange)機能を有し、企業情報共有サイト１１を含んでいる。発注企業端末および受注企業端末は、ＷＥＢＥＤＩに加えて、企業情報共有サイト１１を参照する。
【００４１】
ＷＥＢＥＤＩ機能は、Ｗｅｂの機能を活用して企業間のＥＤＩ（電子データ交換）を行う機能である。ＷＥＢＥＤＩ機能を使用して、発注企業とその受注企業が注文データや検収データなどを交換し、企業間電子商取引を行う。発注企業および受注企業に与えられたユーザＩＤで認証し、許可された企業のみで利用する。
【００４２】
企業情報共有サイト１１は、ＷＥＢＥＤＩ機能を使用して企業間電子商取引を行っている企業を対象に、情報交換（情報共有）や取引先探索を行う機能を有する。企業情報共有サイト１１は、ＷＥＢＥＤＩ機能を使用している企業で企業情報共有サイト１１に参加希望する企業を発注企業あるいは受注企業として登録管理する。登録された受注企業を業種カテゴリ等によりグルーピングしてグループ名で管理するようにしてもよい。また、発注企業端末がグルーピングしたグループ名で受注企業を管理するようにしてもよい。企業情報共有サイト１１は、発注企業端末に対して、全ての発注企業の存在が見え、全ての受注企業の存在が見えるように制御する。また、受注企業端末に対して、全ての発注企業の存在が見え、他の受注企業の存在が見えないように（他の受注企業の存在を隠蔽するように）制御する。例えば、ＡＸ端末は、受注企業のＡＹ社，ＢＸ社およびＣＸ社の存在は見えず、発注企業のＡ社，Ｂ社およびＣ社が存在していることは見える。企業情報共有サイト１１は、
（１）お知らせ登録画面を発注企業端末に送信表示する機能、
（２）お知らせ登録画面に受注企業一覧，グループ名一覧を表示する機能、
（３）お知らせ登録画面に受注企業一覧を表示する時に該当受注企業と取引がある発注企業の併記を行う機能、
（４）発注企業端末からのお知らせを登録し発注企業端末が選択した受注企業端末に参照可能とする機能、
（５）発注企業端末が選択した受注企業端末にお知らせが登録された旨を通知する機能、
（６）登録したお知らせが受注企業端末から参照されない場合に受注企業端末に電子メール等を発信しお知らせ画面の参照を促す機能、
（７）受注企業端末からのお知らせ回答を登録し発注企業端末に参照可能とする機能、
（８）登録したお知らせの受注企業の一覧およびその回答状況をお知らせ回答参照画面に表示する機能、
（９）受注企業端末のコマーシャルページを登録する機能、
（１０）受注企業端末のコマーシャルページを登録するときに課金する機能、
（１１）発注企業端末のコマーシャルページを登録する機能、
（１２）発注企業端末のコマーシャルページを登録するときに課金する機能、
（１３）お知らせ回答入力画面に発注企業の情報を表示する機能、
（１４）発注企業端末がグルーピングしたグループ名とそのグループに属する受注企業とを登録管理する機能、
等を有する。
【００４３】
Ａ端末２，Ｂ端末３，Ｃ端末４は、発注企業Ａ社，Ｂ社，Ｃ社の端末（発注企業端末）で、プログラム制御で動作する情報処理装置である。発注企業端末は、
（１）お知らせ登録画面に対して表題およびお知らせ内容（コメント）を入力する機能、
（２）お知らせに対して回答の要／不要を指定する機能、
（３）お知らせに対して添付ファイルを添付する機能、
（４）お知らせ登録画面に表示された受注企業一覧，グループ名一覧から受注企業を選択する機能（お知らせの送付先を選択する機能）、
（５）受注企業を選択する時（お知らせの送付先を選択する時）に企業情報共有サイト１１に登録されている受注企業のコマーシャルページを参照する機能、
（６）企業情報共有サイト１１に登録された受注企業からのお知らせ回答を参照する機能、
（７）お知らせ回答を確認して受注企業端末と個別に電子メール等で折衝する機能、
（８）受注企業をグルーピングしてグループ名とそのグループに属する受注企業とを企業情報共有サイト１１に登録する機能、
（９）自社のコマーシャルページを企業情報共有サイト１１に登録する機能、
等を有する。
【００４４】
ＡＸ端末５，ＡＹ端末６，ＢＸ端末７，ＣＸ端末８は、受注企業ＡＸ社，ＡＹ社，ＢＸ社，ＣＸ社の端末（受注企業端末）で、プログラム制御で動作する情報処理装置である。受注企業端末は、
（１）自社のコマーシャルページを企業情報共有サイト１１に登録する機能、
（２）企業情報共有サイト１１に登録されたお知らせ画面を参照し回答を入力する機能、
（３）お知らせに添付されているファイルをダウンロードする機能、
（４）お知らせ回答入力時にお知らせ登録を行った発注企業の情報（例えば、コマーシャルページ）を参照する機能、
等を有する。
なお、本例では、受注企業ＡＸ社およびＡＹ社は、ＷＥＢＥＤＩにて発注企業Ａ社との取引が既に発生しており、同様に、受注企業ＢＸ社は発注企業Ｂ社との取引が、受注企業ＣＸ社は発注企業Ｃ社との取引が、既に発生しているものとする。
【００４５】
ネットワーク９は、ＡＳＰ提供者サーバ１と発注企業端末と受注企業端末とを接続する通信網で、例えばインターネット等である。
【００４６】
次に、本発明を実施するための最良の形態の動作について、図面を参照して詳細に説明する。
図２は、本発明の動作を説明する図である。
図３は、本発明に動作の流れを説明する図である。
図４は、発注企業の端末に表示されるお知らせ登録画面の例を示す図である。
図５は、受注企業の端末に表示されるお知らせ回答画面の例を示す図である。
図６は、発注企業の端末に表示されるお知らせ回答参照画面の例を示す図である。
【００４７】
なお、本動作の流れの説明では、発注企業であるＡ社が新規の調達案件で、図２に示すように、自社の取引している受注企業ＡＸ社、ＡＹ社に加えて、ＢＸ社とＣＸ社へも案件調達依頼を行い、新規取引先の開拓を行う場合を例に説明する。受注企業は、予め企業情報共有サイト１１に自社のコマーシャルページを登録しているものとする。なお、企業情報共有サイト１１はコマーシャルページを登録する受注企業に対して課金するようにしてもよい。
【００４８】
図３を参照すると、Ａ端末２はＡＳＰ提供者サーバ１に接続して企業情報共有サイト１１にアクセスする（ステップＳ１）。
【００４９】
企業情報共有サイト１１は、図４に示すお知らせ登録画面をＡ端末２に表示する（ステップＳ２）。
【００５０】
Ａ端末２は、お知らせ登録画面に、お知らせの表題名とお知らせ内容の入力を行い、回答が必要である旨を指定し、添付ファイルが有れば参照ボタンで添付する（ステップＳ３）。
【００５１】
Ａ端末２は、受注企業の選択を行う。お知らせ登録画面には、受注企業がどの発注企業と取引しているかの情報、その受注企業のコマーシャルページが表示される。発注企業は、これらの情報を確認しながら受注企業の選択（お知らせの送付先の選択）を行う（ステップＳ４）。本例では、受注企業ＡＸ社，ＡＹ社，ＢＸ社，ＣＸ社を選択したものとする。
【００５２】
Ａ端末２は、入力済みのお知らせ登録画面を企業情報共有サイト１１に送信する（ステップＳ５）。
【００５３】
企業情報共有サイト１１は、Ａ端末２が登録したお知らせをＡ端末２が選択した受注企業端末が参照可能な状態とし、Ａ端末２が選択した受注企業端末の登録済みの電子メールアドレスに対して、新たにお知らせが登録された旨、メール送信する（ステップＳ６）。本例では、Ａ端末２が登録したお知らせをＡＸ端末５，ＡＹ端末６，ＢＸ端末７，ＣＸ端末８が参照可能な状態とし、各端末の登録済みの電子メールアドレスに対して、新たにお知らせが登録された旨をメール等で送信する。
【００５４】
ＡＸ端末５，ＡＹ端末６，ＢＸ端末７，ＣＸ端末８は、企業情報共有サイト１１からのメール等を受信すると企業情報共有サイト１１にアクセスし、図５に示すお知らせ画面を確認する（ステップＳ７）。
【００５５】
ＡＸ端末５，ＡＹ端末６，ＢＸ端末７，ＣＸ端末８は、登録されているお知らせに対して回答欄に回答入力を行う（ステップＳ８）。回答入力を行うときに、参考情報として、企業情報共有サイト１１に登録されている発注企業の情報を参照してもよい。
【００５６】
Ａ端末２は、企業情報共有サイト１１にアクセスし、図６に示すお知らせ回答参照画面にて各受注企業からの回答状況を確認する（ステップＳ９）。
【００５７】
Ａ端末２は、各受注企業からの回答状況を確認した後、各受注企業端末への連絡を個別に行い個別折衝する（ステップＳ１０）。
【００５８】
このようにして、ＷＥＢＥＤＩのＡＳＰサーバ上に企業情報共有サイトを構築し、ＷＥＢＥＤＩ可能な企業を対象に情報交換や取引先探索を行う。
【００５９】
発注企業としては、ＷＥＢＥＤＩ実施の取引先への連絡事項にあわせて、必要な案件が提示できるため、案件の提示に手間が掛からず、かつ新規受注企業についても既に他社でＥＤＩ取引可能な受注企業であり、参加発注企業との取引実績があることがわかり、受注企業の信頼性が見極めやすい。あくまで案件募集の形態を取るため、膨大な提案案件から選択する手間も必要無い。
【００６０】
受注企業としては、受注企業同士は参加企業及び発注企業とのやり取りが見えないことから、発注者の案件募集に対する先進的な提案が可能となる。発注企業は数は限られるが、確実な取引に結びつける可能性があり、取引している発注企業からのお知らせを見る合間に案件回答が可能となる。
【００６１】
ＡＳＰサービス提供者は、ＷＥＢＥＤＩ収入とあわせて受注企業から登録されるコマーシャルページで収入を得る。いずれもＷＥＢＥＤＩ取引と組み合わせた本発明の企業情報共有サイトによる効果となる。
【００６２】
本発明による上述した実施の形態において、企業情報共有方式の処理動作を実行するためのプログラム等を、データとしてコンピュータの磁気ディスクや光ディスク等の記録媒体（図示せず）に記録するようにし、記録されたデータを読み出して企業情報共有方式を動作させるために用いる。このように、本発明による企業情報共有方式を動作させるデータを記録媒体に記録させ、この記録媒体をインストールすることにより企業情報共有方式の機能が実現できるようになる。
【図面の簡単な説明】
【００６３】
【図１】本発明の構成を示す図
【図２】本発明の動作を説明する図
【図３】本発明の動作の流れを説明する図
【図４】発注企業の端末に表示されるお知らせ登録画面の例を示す図
【図５】受注企業の端末に表示されるお知らせ回答画面の例を示す図
【図６】発注企業の端末に表示されるお知らせ回答参照画面の例を示す図
【符号の説明】
【００６４】
１    ＡＳＰ提供者サーバ
２    Ａ端末
３    Ｂ端末
４    Ｃ端末
５    ＡＸ端末
６    ＡＹ端末
７    ＢＸ端末
８    ＣＸ端末
９    ネットワーク
１１    企業情報共有サイト
【図１】
2005085224.tif 000003
【図２】
2005085224.tif 000004
【図３】
2005085224.tif 000005
【図４】
2005085224.tif 000006
【図５】
2005085224.tif 000007
【図６】
2005085224.tif 000008